Podtech/llm-jp-corpus-v4-ja_patent huggingface dataset:
【手続補正書】
【提出日】平成18年12月26日(2006.12.26)
【手続補正１】
【補正対象書類名】明細書
【補正対象項目名】特許請求の範囲
【補正方法】変更
【補正の内容】
【特許請求の範囲】
【請求項１】
ターゲットに均一照明を照射する方法であって、
規則的な形状の断面を有する導波路を通じて一定波光ビームを提供するステップと、
均一照明パターンが得られるように、前記光ビームを適合するステップと、
前記ターゲットの少なくとも選択した部分において、前記均一照明パターンを走査するステップと、
を備えた方法。
【請求項２】
請求項１記載の方法であって、更に、少なくとも１つの均一アパーチャ、少なくとも１つのウィンドウ・アパーチャ、および／または少なくとも１つのレンズから成る群から選択した１つ以上の要素を提供するステップを含む、方法。
【請求項３】
請求項１記載の方法であって、更に、前記走査の縁を平滑化すること、前記走査の終点を除去すること、少なくとも１つの面を共役させること、転心が虹彩を通過するように網膜に照射すること、および／または時定数を用いること、から成る群から選択した少なくとも１つの作用を実施して、前記均一照明パターンを提供する、方法。
【請求項４】
請求項１記載の方法において、前記走査は、少なくとも、
少なくとも１本の光ビームを第１の方向に第１の速度で移動させ、
少なくとも１本の光ビームを第２の方向に第２の速度で提供し、
前記第１の方向と前記第２の方向との間でビームの走査を交互に行うこと、
を含む、方法。
【請求項５】
請求項４記載の方法であって、更に、前記ターゲットを均一に照明すること、および／または前記ビームの出力を変調して選択区域のみを照明すること、から成る群から選択した少なくとも１つのステップを含む、方法。
【請求項６】
請求項１記載の方法において、前記均一照明は、前記ターゲット面上の選択した点の直接均一照明、前記ターゲット面上の選択した点に対する均一滞留時間、および／または前記ターゲット面上の選択した点に対する均一線量計測、から選択した少なくとも１つの特色によって特徴付けられる、方法。
【請求項７】
請求項１記載の方法であって、光凝固処置、微小光凝固処置、光動的治療、および／または撮像用照明から成る群から選択した処置を実行するステップを含む、方法。
【請求項８】
均一な照明でターゲットを照射する装置であって、
一定波レーザ源と、
規則的な形状の断面を有し、前記レーザ源からの光ビームを均一照明パターンで伝達するように構成された少なくとも１つの光導波路と、
少なくとも１つの選択した方向で前記ビームを前記ターゲットに対して走査する少なくとも１つの走査デバイスと、
を備えた装置。
【請求項９】
請求項８記載の装置であって、更に、均一アパーチャ、前記均一照明パターンの縁を平滑化する手段、少なくとも１枚のレンズ、ウィンドウ・アパーチャ、前記均一照明パターンの終点を除去する手段、変調器、および／または前記ターゲットの選択区域に走査を制限する手段から成る群から選択した少なくとも１つの要素を備えている、装置。
【請求項１０】
請求項８記載の装置において、前記少なくとも１つのスキャナが、回転ポリゴン・ミラーを含む、装置。
【請求項１１】
請求項８記載の装置において、前記ターゲットが網膜である、装置。
【請求項１２】
請求項１１記載の装置において、前記網膜に対して発射されるビームが、虹彩を通る転心を有する、装置。
【請求項１３】
請求項８記載の装置を用いて、光凝固処置、微小光凝固処置、光動的治療、および／または撮像用照明から成る群から選択した少なくとも１つの処置を実施することを含む方法。
【請求項１４】
直接均一照明でターゲットを照射する装置であって、
一定波レーザ源と、
幾何学的形状の断面を有し、前記一定波レーザ源からの光ビームを均一照明パターンで伝達するように構成された少なくとも１つの光導波路と、
少なくとも１つの選択した方向で前記ビームを前記ターゲットに対して走査して、実質的に全てのターゲット面要素に前記ビームを実質的に等しい滞留時間で照射するようにした、少なくとも１つの走査デバイスと、
を備えた装置。
【請求項１５】
請求項１４記載の装置であって、更に、前記均一照明パターンの縁を平滑化する手段、前記均一照明パターンの終点を除去する手段、および前記ターゲットの選択区域に走査を制限する手段から成る群から選択した少なくとも１つの要素を備えている、装置。
【請求項１６】
ターゲット上に瞬時均質照明を与える方法であって、
一定波レーザ・ビームを、規則的な形状の断面を有する光導波路に結合するステップと、
均一照明パターンを有するように前記光ビームを適合するステップと、
前記ターゲットにおける選択点の瞬時均一照明を生成するように、前記光ビームを走査するステップと、
を含む方法。
【請求項１７】
請求項１６記載の方法において、均一照明パターンを有するように前記光ビームを適合する前記ステップは、前記光ビームの縁を平滑化するステップおよび前記光ビームの縁を除去するステップから成る群から選択した１つ以上のステップを含む、方法。
【請求項１８】
請求項１６記載の方法において、前記走査は、ラスタ走査手段の実施を含む、方法。
【手続補正書】
【提出日】平成19年3月19日(2007.3.19)
【手続補正１】
【補正対象書類名】明細書
【補正対象項目名】特許請求の範囲
【補正方法】変更
【補正の内容】
【特許請求の範囲】
【請求項１】  閉鎖型スプリンクラヘッドが接続された二次側配管、基端側が給水本管に接続された一次側配管、及び該一次側配管と前記二次側配管との間に設けられた流水検知装置を有し、前記二次側配管内に常時充水されたスプリンクラ消火設備において、
前記配管に設けられた常開の制御弁と、前記流水検知装置が動作して流水信号を出力したときは、前記制御弁を直ちに閉止する閉止信号を出力する制御装置とを備えたことを特徴とするスプリンクラ消火設備。
【請求項２】  前記スプリンクラヘッドと同じ防護区域内に火災感知器を設け、前記制御弁を直ちに閉止して、一次側配管と二次側配管とを遮断した状態で、所定の時間、前記火災感知器から火災信号が送られてくるのを待ち、火災信号がないときは前記制御弁の閉止状態を継続することを特徴とする請求項１記載のスプリンクラ消火設備。
【請求項３】  前記二次側配管に排水弁を接続し、前記火災信号がないときは該排水弁を開放することを特徴とする請求項２記載のスプリンクラ消火設備。
【請求項４】  前記スプリンクラヘッドと同じ防護区域内に火災感知器を設け、前記制御弁を閉止したのち前記火災感知器からの火災信号の有無を判断して、火災信号があるときは前記制御弁を開放し、その後、前記流水検知装置からの流水信号の有無を再度確認することを特徴とする請求項１記載のスプリンクラ消火設備。
【請求項５】  前記制御装置に火災断定スイッチを設け、前記制御弁が閉止したのち前記火災断定スイッチがＯＮされたかどうかを判断し、該火災断定スイッチがＯＮされたときは前記制御弁を開放することを特徴とする請求項１記載のスプリンクラ消火設備。
【請求項６】  閉鎖型スプリンクラヘッドが接続された二次側配管、基端側が給水本管に接続された一次側配管、及び該一次側配管と前記二次側配管との間に設けられた流水検知装置を有し、前記二次側配管内に常時充水されたスプリンクラ消火設備において、
前記配管に設けた常開の制御弁と、前記流水検知装置が動作して流水信号を出力したときは前記制御弁を閉止する閉止信号を出力すると共に、前記二次側配管と排水本管とを接続させる制御装置とを備えたことを特徴とするスプリンクラ消火設備。
【手続補正２】
【補正対象書類名】明細書
【補正対象項目名】０００５
【補正方法】変更
【補正の内容】
【０００５】
【課題を解決するための手段】
（１）本発明に係るスプリンクラ消火設備は、スプリンクラヘッドが接続された二次側配管、基端側が給水本管に接続された一次側配管、及び該一次側配管と前記二次側配管との間に設けられた流水検知装置を有し、前記二次側配管内に常時充水されたスプリンクラ消火設備において、前記配管に設けられた常開の制御弁と、前記流水検知装置が動作して流水信号を出力したときは、前記制御弁を直ちに閉止する閉止信号を出力する制御装置とを備えたものである。
【手続補正３】
【補正対象書類名】明細書
【補正対象項目名】０００６
【補正方法】変更
【補正の内容】
【０００６】
（２）上記（１）のスプリンクラ消火設備において、前記スプリンクラヘッドと同じ防護区域内に火災感知器を設け、前記制御弁を直ちに閉止して、一次側配管と二次側配管とを遮断した状態で、所定の時間、前記火災感知器から火災信号が送られてくるのを待ち、火災信号がないときは前記制御弁の閉止状態を継続するようにした。
【手続補正４】
【補正対象書類名】明細書
【補正対象項目名】０００８
【補正方法】変更
【補正の内容】
【０００８】
（４）上記（１）のスプリンクラ消火設備において、前記スプリンクラヘッドと同じ防護区域内に火災感知器を設け、前記制御弁を閉止したのち前記火災感知器からの火災信号の有無を判断して、火災信号があるときは前記制御弁を開放し、その後、前記流水検知装置からの流水信号の有無を再度確認するようにした。
【手続補正書】
【提出日】平成19年5月31日(2007.5.31)
【手続補正１】
【補正対象書類名】明細書
【補正対象項目名】特許請求の範囲
【補正方法】変更
【補正の内容】
【特許請求の範囲】
【請求項１】  手術機器を保持し、保持状態の手術機器の方向を変更することが可能な変更保持手段と、
この変更保持手段の固定力を所定の値に維持する固定維持手段と、
前記固定維持手段による固定力を解除する固定解除指示手段と、
前記固定解除指示手段からの指示に基づき、前記固定維持手段による固定力を経時的に変化させる固定力制御手段と、
を具備することを特徴とする手術機器保持装置。
【請求項２】  前記固定力制御手段は、前記固定維持手段の固定解除動作における単位時間当たりの固定力の変化量を、前記固定維持手段の固定動作における単位時間当たりの固定力の変化量より小さくなるべく制御することを特徴とする請求項１記載の手術機器保持装置。
【請求項３】  前記固定力制御手段は、前記固定解除指示手段から２つ以上の固定解除指示がなされたときにのみ、固定解除を行うことを特徴とする請求項１又は請求項２記載の手術機器保持装置。
【請求項４】  前記固定維持手段が圧力源から供給される圧力流体により動作する流体ブレーキであるとき、
前記固定力制御手段は、前記圧力流体が前記流体ブレーキに流入する流入経路における単位時間当たりの流量を、前記圧力流体が前記流体ブレーキから排出される排出経路における単位時間当たりの流量に対して小さくなるべく制御する流量制御手段である請求項２記載の手術機器保持装置。
【請求項５】  前記固定維持手段は、部材の押圧により固定され、入力される駆動電流によって前記部材の押圧力を低下させる電磁鎖錠手段であり、
前記固定力制御手段は、前記電磁鎖錠手段に出力する駆動電流を時間的に制御する電気的制御手段である請求項２記載の手術機器保持装置。
【手続補正書】
【提出日】平成19年1月25日(2007.1.25)
【手続補正１】
【補正対象書類名】特許請求の範囲
【補正対象項目名】全文
【補正方法】変更
【補正の内容】
【特許請求の範囲】
【請求項１】
透光性を有する第１の基板の一表面にマトリクス状に配置された複数の第１の画素を有し、
透光性を有する第２の基板の一表面にマトリクス状に配置された複数の第２の画素を有し、
前記複数の第１の画素の各々は、前記第１の基板の一表面側の第１の表示画面及び前記第１の基板の一表面と反対側の第２の表示画面の方向に発光する第１の発光素子を有し、
前記複数の第２の画素の各々は、前記第１の表示画面及び前記第２の表示画面の方向に発光する第２の発光素子を有し、
前記第１の基板と前記第２の基板は、重なるように配置されていることを特徴とする表示装置。
【請求項２】
透光性を有する第１の基板の一表面にマトリクス状に配置された複数の第１の画素を有し、
透光性を有する第２の基板の一表面にマトリクス状に配置された複数の第２の画素を有し、
前記複数の第１の画素の各々は、前記第１の基板の一表面側の第１の表示画面及び前記第１の基板の一表面と反対側の第２の表示画面の方向に、白色に発光する第１の発光素子を有し、
前記複数の第２の画素の各々は、前記第１の表示画面及び前記第２の表示画面の方向に、白色に発光する第２の発光素子を有し、
前記第１の基板と前記第２の基板は、重なるように配置されていることを特徴とする表示装置。
【請求項３】
透光性を有する第１の基板の一表面にマトリクス状に配置された複数の第１の画素を有し、
透光性を有する第２の基板の一表面にマトリクス状に配置された複数の第２の画素を有し、
前記複数の第１の画素の各々は、前記第１の基板の一表面側の第１の表示画面及び前記第１の基板の一表面と反対側の第２の表示画面の方向に発光する第１の発光素子と、前記第１の発光素子の発光を制御する第１のトランジスタとを有し、
前記複数の第２の画素の各々は、前記第１の表示画面及び前記第２の表示画面の方向に発光する第２の発光素子と、前記第２の発光素子の発光を制御する第２のトランジスタとを有し、
前記第１の基板と前記第２の基板は、重なるように配置されていることを特徴とする表示装置。
【請求項４】
透光性を有する第１の基板の一表面にマトリクス状に配置された複数の第１の画素を有し、
透光性を有する第２の基板の一表面にマトリクス状に配置された複数の第２の画素を有し、
前記複数の第１の画素の各々は、前記第１の基板の一表面側の第１の表示画面及び前記第１の基板の一表面と反対側の第２の表示画面の方向に、白色に発光する第１の発光素子と、前記第１の発光素子の発光を制御する第１のトランジスタとを有し、
前記複数の第２の画素の各々は、前記第１の表示画面及び前記第２の表示画面の方向に、白色に発光する第２の発光素子と、前記第２の発光素子の発光を制御する第２のトランジスタとを有し、
前記第１の基板と前記第２の基板は、重なるように配置されていることを特徴とする表示装置。
【請求項５】
請求項１乃至請求項４のいずれか一項において、
前記基板の一表面側に第１の偏光板を有し、
前記基板の一表面と反対側に第２の偏光板を有し、
前記第１の偏光板と前記第２の偏光板の偏向方向がなす角度は、４０度乃至９０度であることを特徴とする表示装置。
【請求項６】
請求項２又は請求項４において、
前記第１の発光素子と前記第２の発光素子の各々は、第１の電極と第２の電極を有し、
前記第１の電極上に設けられた第１のカラーフィルタと、
前記第２の電極上に設けられた第２のカラーフィルタと、を有することを特徴とする表示装置。
【請求項７】
請求項１乃至請求項４のいずれか一項において、
前記第１の発光素子と前記第２の発光素子の各々が含む一対の電極の一方は、酸化インジウム酸化スズ合金、酸化インジウム酸化亜鉛合金、酸化亜鉛、または珪素を含む酸化インジウム酸化スズ合金を含むことを特徴とする表示装置。
【請求項８】
請求項１乃至請求項４のいずれか一項において、
前記第１の発光素子と前記第２の発光素子の各々が含む一対の電極の一方は、銀、アルミニウム、リチウム、カルシウム、マグネシウム銀合金、マグネシウムインジウム合金、アルミニウムリチウム合金、カルシウムフッ素合金、またはカルシウム窒素合金を含むことを特徴とする表示装置。
【請求項９】
請求項１乃至請求項４のいずれか一項において、
前記第１の発光素子と前記第２の発光素子の各々が含む一対の電極の一方を通過する発光と、前記一対の電極の他方を通過する発光との透過率、吸収率及び反射率から選択された１つまたは複数は同一であることを特徴とする表示装置。
【請求項１０】
請求項１乃至請求項４のいずれか一項において、
前記第１の発光素子と前記第２の発光素子の各々は、エレクトロルミネッセンス素子であることを特徴とする表示装置。
【請求項１１】
請求項１乃至請求項１０のいずれか一項に記載の前記表示装置を有する携帯端末。
【請求項１２】
請求項１乃至請求項１０のいずれか一項に記載の前記表示装置を有する折り畳み型携帯端末。
【請求項１３】
請求項１乃至請求項１０のいずれか一項に記載の前記表示装置とスピーカーを含む第１の筐体と、マイクロホンを含む第２の筐体を有する折り畳み型携帯端末。
【手続補正書】
【提出日】平成19年10月11日(2007.10.11)
【手続補正１】
【補正対象書類名】特許請求の範囲
【補正対象項目名】全文
【補正方法】変更
【補正の内容】
【特許請求の範囲】
【請求項１】
医療機器、検査の種別、検査の日時を少なくとも含む検査状況の情報を入力する入力受付手段と、前記入力受付手段に入力された検査状況の情報を複数記憶する検査状況データ記憶装置と、
前記検査の実施計画を定量的に評価する評価関数を一つもしくは複数記憶する評価関数記憶装置と、表示手段とを少なくとも有するコンピュータで実行されるプログラムであって、
前記コンピュータに、
前記検査状況データ記憶装置から前記検査状況の情報を所定の条件に従って複数取得し、該取得した検査状況の情報から前記検査の種別ごとに時系列的に当該検査状況が配列化された検査配列を生成し、同一検査種別の検査が繰り返し行われているか否かを示す指標である検査連続度を算出し、該算出された検査連続度を評価関数として前記評価関数記憶装置に記憶し、前記評価関数を最大もしくは最小にする前記検査の実施計画を一つもしくは複数算出して前記表示手段に表示させることを特徴とするプログラム。
【請求項２】
医療機器、検査の種別、検査の日時を少なくとも含む検査状況の情報を入力する入力受付手段と、前記入力受付手段に入力された検査状況の情報を複数記憶する検査状況データ記憶装置と、
前記検査の実施計画を定量的に評価する評価関数を一つもしくは複数記憶する評価関数記憶装置と、表示手段とを少なくとも有するコンピュータで実行されるプログラムであって、
前記コンピュータに、
前記検査状況データ記憶装置から前記検査状況の情報を所定の条件に従って複数取得し、該取得した検査状況の情報から前記検査の種別ごとに時系列的に当該検査状況が配列化された検査配列を生成し、前記検査状況の情報のうちの前記検査日時と前記検査配列とから、前記検査配列毎に検査処理時間を予測する検査処理時間予測関数を生成し、該生成された検査処理時間予測関数を評価関数として前記評価関数記憶装置に記憶し、前記評価関数を最大もしくは最小にする前記検査の実施計画を一つもしくは複数算出して前記表示手段に表示させることを特徴とするプログラム。
【請求項３】
請求項２に記載のプログラムにおいて、前記検査状況の情報のうち前記検査配列に対して、同一検査種別の検査が繰り返し行われているか否かを示す指標である検査連続度を算出し、前記検査処理時間予測関数は、前記検査連続度毎に予測される検査処理時間を生成することを特徴とするプログラム。
【請求項４】
医療機器、検査の種別、検査の日時を少なくとも含む検査状況の情報を入力する入力受付手段と、前記入力受付手段に入力された検査状況の情報を複数記憶する検査状況データ記憶装置と、
前記検査の実施計画を定量的に評価する評価関数を一つもしくは複数記憶する評価関数記憶装置とを有する医療機器稼動計画立案支援システムにおいて、
前記入力受付手段に入力された検査状況の情報を基に前記評価関数を最大もしくは最小にする前記検査の実施計画を一つもしくは複数生成し、前記検査状況の情報の実施計画を計算する実施計画生成手段と、前記実施計画を編集する実施計画編集手段と、前記編集結果を記憶する実施計画記憶装置とを備え、
前記実施計画生成手段は、
前記検査状況データ記憶装置に記憶された前記検査状況の情報から前記検査の種別ごとに時系列的に当該検査状況が配列化された検査配列を生成する検査配列生成手段と、
同一検査種別の検査が繰り返し行われているか否かを示す指標である検査連続度を算出する検査連続度算出手段を少なくとも有することを特徴とする医療機器稼動計画立案支援システム。
【請求項５】
請求項４に記載の医療機器稼動計画立案支援システムにおいて、少なくとも医療機器、検査種別、検査日時を含む前記検査状況を記した稼働状況データを記憶する稼働状況データ記憶装置と、前記稼働状況データから前記評価関数を生成する評価関数生成手段とを有することを特徴とする医療機器稼動計画立案支援システム。
【請求項６】
請求項４に記載の医療機器稼動計画立案支援システムにおいて、前記実施計画もしくは前記編集した実施計画から収支計算を行う収支計算手段を有することを特徴とする医療機器稼動計画立案支援システム。
【請求項７】
請求項４に記載の医療機器稼動計画立案支援システムにおいて、前記検査の前記実施計画を、他の情報システムに通信回線を介して配信する実施計画提供手段を有することを特徴とする医療機器稼動計画立案支援システム。
【手続補正２】
【補正対象書類名】明細書
【補正対象項目名】発明の名称
【補正方法】変更
【補正の内容】
【発明の名称】医療機器稼動計画立案支援システムおよびプログラム
【手続補正書】
【提出日】平成19年8月6日(2007.8.6)
【手続補正１】
【補正対象書類名】特許請求の範囲
【補正対象項目名】全文
【補正方法】変更
【補正の内容】
【特許請求の範囲】
【請求項１】
光学素子と、該光学素子を保持するフレームとを有し、
前記光学素子は、光学機能部と、該光学機能部の外側に設けられた外周部とからなり、
前記フレームは、前記光学素子が接触する内周面と、該内周面の外側に位置する外周面とを有し、前記内周面から前記外周面に向かって形成された１又は複数の凹部を有し、
該凹部の少なくとも一部に、前記光学素子を形成するための樹脂材料が充填されていることを特徴とするフレーム一体型光学部品。
【請求項２】
前記凹部は、前記内周面と前記外周面の両面に開口部を有する貫通孔であることを特徴とする請求項１に記載のフレーム型一体光学部品。
【請求項３】
前記凹部は、前記内周面のみに開口部を有する孔であることを特徴とする請求項１に記載のフレーム一体型光学部品。
【請求項４】
前記外周部は、前記光学素子の外周側面であることを特徴とする請求項１乃至請求項３のいずれか１項に記載のフレーム型一体光学部品。
【請求項５】
前記外周部は、前記光学機能部から前記光学素子の外周側面までの間に位置する面であることを特徴とする請求項１乃至請求項３のいずれか１項にフレーム一体型光学部品。
【請求項６】
３つ以上の前記凹部が前記フレームに設けられ、前記３つ以上の凹部は、略等間隔に設けられていることを特徴とする請求項１乃至請求項５のいずれか１項にフレーム一体型光学部品。
【請求項７】
前記凹部は、前記内周面の円周方向に沿って形成された輪帯状の溝、あるいは円弧状の溝であることを特徴とする請求項１乃至請求項５のいずれか１項にフレーム一体型光学部品。
【請求項８】
光学素子をフレームで保持したフレーム一体型光学部品の製造方法において、前記光学素子の光学機能部以外の部位に面して開口する１又は複数の凹部を有する前記フレームを予め製造した後、該フレームを成形型内に配置して前記光学素子の成形を行い、該光学素子を形成するための樹脂材料の余剰分を前記凹部に充填することを特徴とするフレーム一体型光学部品の製造方法。
【請求項９】
光学素子をフレームで保持したフレーム一体型光学部品の製造方法において、前記光学素子の光学機能部以外の部位から外部に連通する１又は複数の貫通孔を有する前記フレームを予め製造した後、該フレームを成形型内に配置して前記光学素子の成形を行い、該光学素子を形成するための樹脂材料の余剰分を前記貫通孔に充填することを特徴とするフレーム一体型光学部品の製造方法。
【請求項１０】
前記貫通孔が略最上部に位置するように前記フレームを成形型内に配置し、該貫通孔から前記成形型内に樹脂材料を注入して前記光学素子を形成することを特徴とする請求項９記載のフレーム一体型光学部品の製造方法。
【請求項１１】
前記貫通孔が略最下部に位置するように前記フレームを成形型内に配置し、該貫通孔から前記成形型内に樹脂材料を注入して前記光学素子を形成することを特徴とする請求項８記載のフレーム一体型光学部品の製造方法。
【請求項１２】
前記光学素子の成形時における前記成形型の温度を、前記フレームの耐熱温度以下としたことを特徴とする請求項８〜１１いずれか記載のフレーム一体型光学部品の製造方法。
【請求項１３】
前記光学素子を形成するための樹脂材料を、紫外線硬化型樹脂としたことを特徴とする請求項８〜１２いずれか記載のフレーム一体型光学部品の製造方法。
【手続補正書】
【提出日】平成19年11月8日(2007.11.8)
【手続補正１】
【補正対象書類名】特許請求の範囲
【補正対象項目名】全文
【補正方法】変更
【補正の内容】
【特許請求の範囲】
【請求項１】
画像形成時の露光精度むらを、当該画像形成における動作シーケンスに対応した振動特性情報に基づいて補正する画像形成装置であって、
複数の動作シーケンスのそれぞれに対応した、複数の振動特性情報を格納する格納手段と、
指定された動作シーケンスに対応する第１振動特性情報を、前記格納手段に格納されている前記複数の振動特性情報から選択し、当該選択した第１振動特性情報に基づいて、当該指定された動作シーケンスにおける前記露光精度むらを補正する補正手段と、
前記指定された動作シーケンスと並列に、当該指定された動作シーケンスにおいて、可動部材の駆動により発生する振動を計測して第２振動特性情報を取得する計測手段と、
前記計測手段により計測された第２振動特性情報と、前記格納手段に格納されている第１振動特性情報とが類似しているか否かを基準値との比較に基づき判定する判定手段と、
前記格納手段に格納されている第１振動特性情報の更新、削除または、前記第２振動特性情報に基づく情報の当該格納手段への登録を、前記判定手段の判定結果に基づいて制御するメモリ制御手段と
を備えることを特徴とする画像形成装置。
【請求項２】
前記判定手段は、前記第１振動特性情報及び第２振動特性情報に基づいて分散平均を示す特徴抽出データを求め、当該特徴抽出データと前記基準値との大小関係の比較により、当該第１振動特性情報と第２振動特性情報とが類似しているか否かを判定することを特徴とする請求項１に記載の画像形成装置。
【請求項３】
前記判定手段は、前記第１振動特性情報として選択可能な複数の情報が前記格納手段に登録されている場合、当該選択可能な複数の情報を順次選択して、当該選択した情報と前記第２振動特性情報とが類似しているか否かを前記基準値との大小関係の比較により判定することを特徴とする請求項１または２に記載の画像形成装置。
【請求項４】
前記メモリ制御手段は、前記第１振動特性情報と第２振動特性情報とが類似していると前記判定手段により判定された場合、当該第１振動特性情報と第２振動特性情報とを１：ｎ（ｎは自然数）に重み付けを行った重み付け平均化処理を行い、当該平均化処理により算出した第３振動特性情報に基づいて、当該第１振動特性情報を更新することを特徴とする請求項１に記載の画像形成装置。
【請求項５】
前記メモリ制御手段は、前記第１振動特性情報と第２振動特性情報とが類似していないと前記判定手段により判定された場合、前記格納手段に登録されている複数の振動特性情報が登録可能な最大数に達しているか否かを判定し、当該最大数に達していない場合、前記第２振動特性情報を前記格納手段に登録することを特徴とする請求項１に記載の画像形成装置。
【請求項６】
前記メモリ制御手段は、前記格納手段に登録されている複数の振動特性情報が登録可能な最大数に達している場合、当該登録されている複数の振動特性情報のうち、情報の更新時期が最も古い振動特性情報を消去し、前記第２振動特性情報を前記格納手段に登録することを特徴とする請求項５に記載の画像形成装置。
【請求項７】
画像形成時の露光精度むらを、当該画像形成における動作シーケンスに対応した振動特性情報に基づいて補正する画像形成装置における画像形成方法であって、
複数の動作シーケンスのそれぞれに対応した、複数の振動特性情報をメモリに格納する格納工程と、
指定された動作シーケンスに対応する第１振動特性情報を、前記メモリに格納されている前記複数の振動特性情報から選択し、当該選択した第１振動特性情報に基づいて、当該指定された動作シーケンスにおける前記露光精度むらを補正する補正工程と、
前記指定された動作シーケンスと並列に、当該指定された動作シーケンスにおいて、可動部材の駆動により発生する振動を計測して第２振動特性情報を取得する計測工程と、
前記計測工程により計測された第２振動特性情報と、前記メモリに格納されている第１振動特性情報とが類似しているか否かを基準値との比較に基づき判定する判定工程と、
前記メモリに格納されている第１振動特性情報の更新、削除または、前記第２振動特性情報に基づく情報の当該メモリへの登録を、前記判定工程の判定結果に基づいて制御するメモリ制御工程と
を備えることを特徴とする画像形成方法。
【手続補正２】
【補正対象書類名】明細書
【補正対象項目名】００１７
【補正方法】変更
【補正の内容】
【００１７】
すなわち、画像形成時の露光精度むらを、当該画像形成における動作シーケンスに対応した振動特性情報に基づいて補正する画像形成装置は、
複数の動作シーケンスのそれぞれに対応した、複数の振動特性情報を格納する格納手段と、
指定された動作シーケンスに対応する第１振動特性情報を、前記格納手段に格納されている前記複数の振動特性情報から選択し、当該選択した第１振動特性情報に基づいて、当該指定された動作シーケンスにおける前記露光精度むらを補正する補正手段と、
前記指定された動作シーケンスと並列に、当該指定された動作シーケンスにおいて、可動部材の駆動により発生する振動を計測して第２振動特性情報を取得する計測手段と、
前記計測手段により計測された第２振動特性情報と、前記格納手段に格納されている第１振動特性情報とが類似しているか否かを基準値との比較に基づき判定する判定手段と、
前記格納手段に格納されている第１振動特性情報の更新、削除または、前記第２振動特性情報に基づく情報の当該格納手段への登録を、前記判定手段の判定結果に基づいて制御するメモリ制御手段とを備えることを特徴とする。
【手続補正書】
【提出日】平成18年12月14日(2006.12.14)
【手続補正１】
【補正対象書類名】特許請求の範囲
【補正対象項目名】全文
【補正方法】変更
【補正の内容】
【特許請求の範囲】
【請求項１】
ローカル装置において療養費支給申請書に所定のデータを印字すると共に該所定のデータをＱＲコード化して該療養費支給申請書に印刷し、ホスト装置において該療養費支給申請書に印刷されたＱＲコードを読み出して前記所定のデータを取り込むことを特徴とする療養費支給申請方法。
【請求項２】
前記所定のデータが、施術年月日、被保険者名、保険者番号、保険証記号番号、療養者名、負傷名、施術期間、費用額、請求額、一部負担額、柔道整復師名、及び柔道整復師コードの少なくとも１つを含むデータであることを特徴とする請求項１に記載の方法。
【請求項３】
前記ローカル装置が整骨院又は接骨院に配置された装置であり、前記ホスト7装置が柔道整復師会又は接骨師会に配置された装置であることを特徴とする請求項１又は２に記載の方法。
【請求項４】
療養費支給申請書に所定のデータを印字すると共に該所定のデータをＱＲコード化して該療養費支給申請書に印刷するローカル装置と、前記療養費支給申請書に印刷されたＱＲコードを読み出して前記所定のデータを取り込むホスト装置とを備えたことを特徴とする療養費支給申請システム。
【請求項５】
前記所定のデータが、施術年月日、被保険者名、保険者番号、保険証記号番号、療養者名、負傷名、施術期間、費用額、請求額、一部負担額、柔道整復師名、及び柔道整復師コードの少なくとも１つを含むデータであることを特徴とする請求項４に記載のシステム。
【請求項６】
前記ローカル装置が整骨院又は接骨院に配置された装置であり、前記ホスト装置が柔道整復師会又は接骨師会に配置された装置であることを特徴とする請求項４又は５に記載のシステム。
【請求項７】
療養費に関する所定のデータが印字されており、かつ該所定のデータがＱＲコード化して印刷されていることを特徴とする療養費支給申請書。
【請求項８】
前記所定のデータが、施術年月日、被保険者名、保険者番号、保険証記号番号、療養者名、負傷名、施術期間、費用額、請求額、一部負担額、柔道整復師名、及び柔道整復師コードの少なくとも１つを含むデータであることを特徴とする請求項７に記載の療養費支給申請書。
【請求項９】
療養者名を含むデータをＱＲコード化して療養費支給申請書又は療養費請求書に印刷することを特徴とする申請書の印刷方法。
【請求項１０】
印刷されたＱＲコードを読み出して療養者名を含むデータを取り込むことを特徴とする療養者名の認識方法。
【手続補正書】
【提出日】平成19年7月27日(2007.7.27)
【手続補正１】
【補正対象書類名】明細書
【補正対象項目名】００１０
【補正方法】変更
【補正の内容】
【００１０】
なお、従来、ＥＯＴＦ８００の制御に用いられるＤＣ電圧は５〜３０Ｖ程度であり、櫛型電極対８０５の数は１０〜１０００個程度である。
【特許文献１】特開平４−１０９２１６号公報
【特許文献２】米国特許第６８５９５６８号明細書
【手続補正書】
【提出日】平成19年10月29日(2007.10.29)
【手続補正１】
【補正対象書類名】明細書
【補正対象項目名】００８９
【補正方法】変更
【補正の内容】
【００８９】
その後は、制御回路部２２は、駆動手段Ｍの駆動を減速してベルト１０５を通常速度（１００ｍｍ／ｓｅｃ）よりも遅い速度である約１ｍｍ／ｓｅｃの低速度で所定量移動させる。
【手続補正２】
【補正対象書類名】明細書
【補正対象項目名】００９３
【補正方法】変更
【補正の内容】
【００９３】
本実施例においても、実施例１と同様に、制御回路部２２はセンサ２５からのフィードバック信号によりベルト５の回転移動量を検知することができ、駆動手段Ｍを制御してベルト５を所定量だけ所定速度にて移動制御（ベルト５の速度を減速させる制御、増大させる制御）することが出来る。上記のベルト矯正シーケンスにおけるベルト５の所定量・所定速度での移動はこの制御によりなされる。
【手続補正書】
【提出日】平成19年10月29日(2007.10.29)
【手続補正１】
【補正対象書類名】明細書
【補正対象項目名】０１３１
【補正方法】変更
【補正の内容】
【０１３１】
次に、画像形成時にプリント信号が入力され、定着装置が加熱昇温を開始した時点（加熱昇温開始時）のヒータ温度（以下「初期ヒータ温度」と称する。）に応じて、作像前処理シーケンス開始温度及び作像シーケンス開始温度を可変とする構成に関して説明する。
【手続補正書】
【提出日】平成19年10月2日(2007.10.2)
【手続補正１】
【補正対象書類名】特許請求の範囲
【補正対象項目名】全文
【補正方法】変更
【補正の内容】
【特許請求の範囲】
【請求項１】
未病者もしくは健常者の転地滞在において、契約者の有する契約者端末装置と、転地滞在者の有する転地滞在者端末装置と、チャネルパートナーの有するチャネルパートナー端末装置と、外部機関の有する外部機関端末装置と、中央演算処理局の処理サーバとをネットワークで結び相互に情報通信できる転地滞在型健康保養システムであって、
該中央演算処理局の処理サーバが、
該契約者に関する情報を演算し処理する契約者フォローサーバ手段、およびそれらの情報を記憶する契約者情報管理データベース手段と、
該転地滞在者に装着した移動通信型身体状況計測機器に関する情報を演算し処理する食事・温泉・行動融合化健康検診サーバ手段、およびそれらの情報を記憶する転地滞在者情報管理データベース手段および行動プラン管理データベース手段と、
を備えた転地滞在型健康保養システム。
【請求項２】
該中央演算処理局の処理サーバが、
該チャネルパートナーに関する情報を演算し処理するチャネルパートナーフォローサーバ手段、およびそれらの情報を記憶するチャネルパートナー情報管理データベース手段と、
をさらに備えた請求項１記載の転地滞在型健康保養システム。
【請求項３】
該中央演算処理局の処理サーバが、
該転地滞在者の選択した行動プランに伴う食事プラン管理機器および温泉プラン管理機器に関する情報を演算し処理する食事・温泉・行動融合化健康検診サーバ手段およびそれらの情報を記憶する行動プラン管理データベース手段、食事プラン管理データベース手段および温泉プラン管理データベース手段と、
をさらに備えた請求項１または請求項２の転地滞在型健康保養システム。
【請求項４】
該中央演算処理局の処理サーバが、
該契約者のスタッフおよび／または転地滞在者に関する情報を演算し処理する契約者フォローサーバ手段、およびそれらの情報を記憶する契約者情報管理データベース手段および行動プラン管理データベース手段と、
をさらに備えた請求項１から請求項３のいずれかに記載の転地滞在型健康保養システム。
【請求項５】
該中央演算処理局の処理サーバが、
該契約者の転地滞在者に関する情報を演算し処理する転地滞在者フォローサーバ手段、およびそれらの情報を記憶する転地滞在者情報管理データベース手段と、
をさらに備えた請求項１から請求項４のいずれかに記載の転地滞在型健康保養システム。
【請求項６】
該中央演算処理局の処理サーバが、
該外部機関とのセキュリティや営業決済に関する情報を演算し処理するセキュリティ管理サーバ手段、外部データベース管理サーバ手段または営業決済管理サーバ手段と、
およびそれらの情報を記憶するセキュリティ管理データベース手段、外部データベース情報管理データベース手段または営業決済管理データベース手段と、
をさらに備えた請求項１から請求項５のいずれかに記載の転地滞在型健康保養システム。
【請求項７】
該契約者端末装置が、
複数の転地滞在者に関する情報を記憶する転地滞在者情報記憶手段と、
複数のスタッフの作成した基本プランに対応する複数の行動プログラム、料理とそのレシピに関する情報を記憶するスタッフ情報記憶手段と、
転地滞在者に装着した移動通信型身体状況計測機器による静的検診データおよび動的検診データを記憶する転地滞在者情報記憶手段と、
転地滞在者の選択した行動に伴う食事プラン管理機器および温泉プラン管理機器による食事メニュー検知データおよび温泉メニュー検知データを記憶する転地滞在者メニュー検知情報記憶手段とを備え、
該契約者端末装置と該中央演算処理局の処理サーバとネットワークで結び相互に情報をリアルタイムに送信し受信することにより、転地滞在者に行動と選択の自由を与える契約者転地滞在管理システムを備えた請求項１から請求項６のいずれかに記載の転地滞在型健康保養システム。
【手続補正書】
【提出日】平成19年3月6日(2007.3.6)
【手続補正１】
【補正対象書類名】明細書
【補正対象項目名】特許請求の範囲
【補正方法】変更
【補正の内容】
【特許請求の範囲】
【請求項１】  複数のパチンコ機と、該パチンコ機で用いられるパチンコ玉を貯留する第１貯留タンクと、を有する第１のパチンコ島へと、
複数のパチンコ機と、該パチンコ機で用いられるパチンコ玉を貯留する第２貯留タンクと、遊技者からパチンコ玉を受け付けて前記第２貯留タンクへと返却する返却手段と、を有する第２のパチンコ島から、
パチンコ玉を供給するパチンコ島間玉交流システムにおいて、
前記第１貯留タンクに貯留されたパチンコ玉の量を検知する第１玉量検知手段と、
前記第１のパチンコ島と前記第２のパチンコ島とを連絡して、少なくとも該第２のパチンコ島から該第１のパチンコ島へとパチンコ玉を供給する際に、パチンコ玉の通路となる第１供給路と、
前記第１玉量検知手段によって検知されたパチンコ玉の量が、予め設定された下限量をよりも少ないときには、前記第１供給路にパチンコ玉が流れるのを許可する指令である許可指令を発し、一方、前記下限量よりも多い量として予め設定された上限量よりも多いときには、前記第１供給路にパチンコ玉が流れるのを禁止する指令である禁止指令を発する第１指令手段と、
前記第１指令手段から、前記許可指令を受けたときは、その後、前記禁止指令を受けるまで前記第１供給路にパチンコ玉が流れるのを許可するとともに、前記第１指令手段から、前記禁止指令を受けたときは、その後、前記許可指令を受けるまで前記第１供給路にパチンコ玉が流れるのを禁止する第１制御手段と、
を備えたことを特徴とするパチンコ島間玉交流システム。
【請求項２】  請求項１に記載のパチンコ島間玉交流システムにおいて、
前記第２貯留タンクに貯留されたパチンコ玉の量を検知する第２玉量検知手段
を更に備え、前記第１指令手段が、
前記第１玉量検知手段によって検知された前記第１貯留タンクの玉量が、前記下限量よりも多く、且つ前記第２玉量検知手段によって検知された前記第２貯留タンクの玉量が所定量よりも少ないときにも、前記禁止指令を発するもの、
であることを特徴とするパチンコ島間玉交流システム。
【手続補正２】
【補正対象書類名】明細書
【補正対象項目名】００１５
【補正方法】変更
【補正の内容】
【００１５】
【課題を解決するための手段】
かかる目的を達成するためになされた本発明の請求項１に記載のパチンコ島間玉交流システムは、複数のパチンコ機と、該パチンコ機で用いられるパチンコ玉を貯留する第１貯留タンクと、を有する第１のパチンコ島へと、
複数のパチンコ機と、該パチンコ機で用いられるパチンコ玉を貯留する第２貯留タンクと、遊技者からパチンコ玉を受け付けて前記第２貯留タンクへと返却する返却手段と、を有する第２のパチンコ島から、
パチンコ玉を供給するパチンコ島間玉交流システムにおいて、
前記第１貯留タンクに貯留されたパチンコ玉の量を検知する第１玉量検知手段と、
前記第１のパチンコ島と前記第２のパチンコ島とを連絡して、少なくとも該第２のパチンコ島から該第１のパチンコ島へとパチンコ玉を供給する際に、パチンコ玉の通路となる第１供給路と、
前記第１玉量検知手段によって検知されたパチンコ玉の量が、予め設定された下限量をよりも少ないときには、前記第１供給路にパチンコ玉が流れるのを許可する指令である許可指令を発し、一方、前記下限量よりも多い量として予め設定された上限量よりも多いときには、前記第１供給路にパチンコ玉が流れるのを禁止する指令である禁止指令を発する第１指令手段と、
前記第１指令手段から、前記許可指令を受けたときは、その後、前記禁止指令を受けるまで前記第１供給路にパチンコ玉が流れるのを許可するとともに、前記第１指令手段から、前記禁止指令を受けたときは、その後、前記許可指令を受けるまで前記第１供給路にパチンコ玉が流れるのを禁止する第１制御手段と、
を備えたことを特徴とする。
【手続補正３】
【補正対象書類名】明細書
【補正対象項目名】００１６
【補正方法】変更
【補正の内容】
【００１６】
また請求項２に記載の本発明は、請求項１に記載のパチンコ島間玉交流システムにおいて、
前記第２貯留タンクに貯留されたパチンコ玉の量を検知する第２玉量検知手段
を更に備え、前記第１指令手段が、
前記第１玉量検知手段によって検知された前記第１貯留タンクの玉量が、前記下限量よりも多く、且つ前記第２玉量検知手段によって検知された前記第２貯留タンクの玉量が所定量よりも少ないときにも、前記禁止指令を発するもの、
であることを特徴とする。
【手続補正４】
【補正対象書類名】明細書
【補正対象項目名】００２０
【補正方法】変更
【補正の内容】
【００２０】
第２の島から第１の島への玉の供給は、両島の間に設けられた第１供給路によって行なわれる。但し、この供給が行なわれるのは、第１制御手段が外部から許可する許可指令を受け取った場合に限る。この許可指令は、第１貯留タンクの貯留量が、予め設定された下限量よりも少ないときに第１指令手段によって発せられる。この一方で第１指令手段が供給を禁止する禁止指令を発する場合もある。これは第１貯留タンクの貯留量が、上限量よりも多いときに、第１制御手段に対して行なわれる。上限量は、前記の下限量よりも多い量として予め設定されたものである。なお第１貯留タンクの貯留量は、第１玉量検知手段によって検知される。
【手続補正５】
【補正対象書類名】明細書
【補正対象項目名】００２６
【補正方法】変更
【補正の内容】
【００２６】
そこで請求項２に記載のパチンコ島間玉交流システムでは、第２貯留タンクにもパチンコ玉の量を検知する手段（第２玉量検知手段）を設けている。そして、第１指令手段は、この第２玉量検知手段によって検知された第２貯留タンクの玉量が所定量よりも少なく、且つ第１貯留タンクの玉量が下限量よりも多いときにも、第１制御手段に対して供給を禁止する禁止指令を発する。換言すると、請求項１に記載の玉交流システムでは、第１貯留タンクの玉量が上限量よりも多くなって初めて供給が禁止されたが、本玉交流システムではそれだけでなく、第２貯留タンクの玉量が所定量より少なくなっても禁止される。
【手続補正書】
【提出日】平成19年3月6日(2007.3.6)
【手続補正１】
【補正対象書類名】明細書
【補正対象項目名】特許請求の範囲
【補正方法】変更
【補正の内容】
【特許請求の範囲】
【請求項１】 列設された複数のパチンコ機と、該各パチンコ機に対してパチンコ玉を補給するための補給経路とを備えたパチンコ島台であって、他のパチンコ島台と共にパチンコホールに設置されるパチンコ島台において、前記列設方向の両端の内の、少なくとも一端に、
前記他のパチンコ島台に向かって延設され、パチンコ玉を当該パチンコ島台から前記他のパチンコ島台まで案内する案内経路と、
前記補給経路における下流側の末端からパチンコ玉を受け取り、前記案内経路に対して排出する中継手段と、
を設けたことを特徴とするパチンコ島台。
【請求項２】 請求項１に記載のパチンコ島台において、
前記案内経路が、
前記他のパチンコ島台に近付くほど低くなるように傾斜された樋であって、該傾斜に沿ってパチンコ玉を転動させることにより該パチンコ玉を前記他のパチンコ島台へと導く供給樋
を備え、前記中継手段が、
前記補給経路から受け取ったパチンコ玉を所定高さまで揚送して前記案内経路に排出する揚送手段
を備えたものであることを特徴とするパチンコ島台。
【請求項３】  請求項１または請求項２に記載のパチンコ島台において、
前記案内経路を介して前記他のパチンコ島台へ供給されるパチンコ玉を貯留する貯留タンクと、
該貯留タンクに貯留されたパチンコ玉の量を検出する玉量センサと、
該玉量センサによって、前記貯留タンクに貯留されたパチンコ玉の量が所定量よりも少ないと判定されると、前記中継手段に対し、前記案内経路にパチンコ玉を排出するのを停止させるための指令を発する制御手段と、
を備えたことを特徴とするパチンコ島台。
【手続補正２】
【補正対象書類名】明細書
【補正対象項目名】００１２
【補正方法】変更
【補正の内容】
【００１２】
【課題を解決するための手段】
かかる目的を達成するためになされた本発明の請求項１に記載のパチンコ島台は、
列設された複数のパチンコ機と、該各パチンコ機に対してパチンコ玉を補給するための補給経路とを備えたパチンコ島台であって、他のパチンコ島台と共にパチンコホールに設置されるパチンコ島台において、前記列設方向の両端の内の、少なくとも一端に、
前記他のパチンコ島台に向かって延設され、パチンコ玉を当該パチンコ島台から前記他のパチンコ島台まで案内する案内経路と、前記補給経路における下流側の末端からパチンコ玉を受け取り、前記案内経路に対して排出する中継手段と、を設けたことを特徴とする。
【手続補正３】
【補正対象書類名】明細書
【補正対象項目名】００１５
【補正方法】変更
【補正の内容】
【００１５】
【発明の実施の形態】
請求項１に記載のパチンコ島台は、列設された複数のパチンコ機と、これら各パチンコ機に対してパチンコ玉を補給するための補給経路とを備えており、他のパチンコ島台と共にパチンコホールに設置されて、使用される。このパチンコ島台の、列設方向の少なくとも一端に、他のパチンコ島台に向かって延設された案内経路と、この案内経路に対して補給経路における下流側の末端から受け取ったパチンコ玉を排出する中継手段とを設けている。つまり、これら案内経路および中継手段が設けられた一端においては、中継手段によって、補給経路内の玉が案内経路に排出され、この玉は案内経路に誘導されて、当該パチンコ島台から他のパチンコ島台に至る。
【手続補正書】
【提出日】平成19年3月6日(2007.3.6)
【手続補正１】
【補正対象書類名】明細書
【補正対象項目名】特許請求の範囲
【補正方法】変更
【補正の内容】
【特許請求の範囲】
【請求項１】 Ｘ線検出器アレイと投影角度に沿って前記検出器アレイに向かってＸ線ビームを投射する回転式Ｘ線源とを含む、物体の像を形成するためのイメージング・システムであって、複数の投影角度を通じて前記Ｘ線源を回転させ、複数の投影データのサンプルを収集し、各々の投影データのサンプルの間の角度間隔を前記投影角度の関数として変更するように構成されているイメージング・システム。
【請求項２】 前記投影データを用いて前記物体全体の立体断層像を形成するように更に構成されている請求項１に記載のイメージング・システム。
【請求項３】 各々の投影データのサンプルの間の角度間隔を前記投影角度の関数として変更するために、前記Ｘ線源の回転速度を変更するように構成されている請求項１に記載のイメージング・システム。
【請求項４】 各々の投影データのサンプルの間の角度間隔を前記投影角度の関数として変更するために、前記検出器アレイのサンプリング周波数を変更するように構成されている請求項１に記載のイメージング・システム。
【請求項５】 各々の投影データのサンプルの間の角度間隔を前記投影角度の関数として変更するために、第１の投影角度範囲を設定し、第２の投影角度範囲を設定するように構成されている請求項１に記載のイメージング・システム。
【請求項６】 各々の投影データのサンプルの間の角度間隔を変更するために、前記第１の投影角度範囲では第１の速度で前記Ｘ線源を回転させ、前記第２の投影角度範囲では第２の速度で前記Ｘ線源を回転させるように更に構成されている請求項５に記載のイメージング・システム。
【請求項７】 前記物体は、鋭い構造を有する少なくとも１つの高密度要素を含んでおり、前記システムは、第１の投影角度領域を設定するために、鋭い構造の軸を決定し、該鋭い構造の軸に沿って近似的に整列するように前記第１の投影角度範囲の中心を選択するように構成されている請求項５に記載のイメージング・システム。
【請求項８】 前記鋭い構造の軸は患者のｙ軸に整列しており、前記システムは、前記鋭い構造の軸に沿って近似的に整列するように前記第１の投影角度範囲の中心を選択するために、前記患者のｙ軸に近似的に整列するように前記第１の投影角度範囲の中心を選択するように構成されている請求項７に記載のイメージング・システム。
【請求項９】 第２の投影角度範囲を設定するために、ＣSPAR＝１８０°＋ＣFPARに従って第２の投影角度領域の中心を設定するように構成されており、ここで、ＣSPAR＝前記第２の投影角度領域の中心であり、ＣFPAR＝第１の投影角度領域の中心である請求項５に記載のイメージング・システム。
【請求項１０】 前記投影データに対して重み付け関数を適用するために、前記第１の投影角度範囲から収集された前記投影データに対して第１の重みを適用し、前記第２の投影角度範囲から収集された前記投影データに対して第２の重みを適用するように構成されている請求項５に記載のイメージング・システム。
【請求項１１】 Ｘ線検出器アレイと、投影角度に沿って前記検出器アレイに向かってＸ線ビームを投射する回転式Ｘ線源とを含んでいるイメージング・システムを用いて物体の像を形成する方法であって、複数の投影角度を通じて前記Ｘ線源を回転させる工程と、複数の投影データのサンプルを収集する工程と、各々の投影データのサンプルの間の角度間隔を前記投影角度の関数として変更する工程と、を有している前記方法。
【手続補正書】
【提出日】平成19年1月10日(2007.1.10)
【手続補正１】
【補正対象書類名】明細書
【補正対象項目名】特許請求の範囲
【補正方法】変更
【補正の内容】
【特許請求の範囲】
【請求項１】
所定条件の成立に基づき遊技者に有利な特別遊技状態を発生可能であり、少なくとも特別遊技状態の終了後には通常モード又はそれよりも価値のある特別モードのいずれかが所定確率で付与されるように構成されているとともに、通常モードに対応する第１報知形態と特別モードに対応する第２報知形態との複数の報知形態を備えていて各モードに対応した報知形態が選定されるように構成されている遊技機において、
特別遊技状態を発生させるか否かの特別遊技判定とは独立して前記各モードのうちいずれを選択するか否かのモード選定を行うように構成し、特別遊技判定の判定結果が特別遊技状態の発生を意味する場合には前記モード選定が行われてその選定結果に応じて前記各報知形態の中から対応する報知形態が選定されて報知されるようにした遊技機。
【請求項２】
複数の図柄表示領域において複数の図柄を変動表示した後に図柄を停止表示可能な図柄表示手段と、
前記停止表示された図柄が特定図柄である場合に遊技者に有利な特別遊技状態を発生させる特別遊技状態発生手段とを備え、
前記特定図柄として特別図柄と非特別図柄を含む複数種が用意されていてそのうちの非特別図柄の場合には少なくとも特別遊技状態の終了後において通常モードが選択され、特別図柄の場合にはそれより価値のある特別モードが選択される遊技機において、
特別遊技状態を発生させるか否かの特別遊技判定とは独立して前記各モードのうちいずれを選択するか否かのモード選定を行うように構成し、そのモード選定結果に応じて通常モードが選定された場合には非特別図柄の中から停止表示される図柄が選定されて停止表示される一方、特別モードが選定された場合には特別図柄の中から停止表示される図柄が選定されて停止表示されるようにした遊技機。
【請求項３】
前記特別遊技判定及びモード選定は、それぞれ乱数取得手段によって所定の確率でランダムに決定され、
さらに各特別図柄と対応させた乱数値が記憶された特別図柄テーブル及び各非特別図柄と対応させた乱数値が記憶された非特別図柄テーブルがそれぞれ独立して用意されており、通常モードが選定された場合には非特別図柄テーブルから取得された乱数値に対応する非特別図柄が停止表示され、特別モードが選定された場合には特別図柄テーブルから取得された乱数値に対応する特別図柄が停止表示されることを特徴とする請求項２に記載の遊技機。
【請求項４】
各図柄表示領域における図柄の変動表示は、各図柄が予め定められた順序で循環するようにして行われ、各図柄は、１周回の変動につき１つずつ表示されることを特徴とする請求項２又は３に記載の遊技機。